(57)【要約】【課題】リヤアンダカバーの上下方向の高精度を確保することができると共に、当該リヤアンダカバーの充分な支持剛性を確保することができ、さらには、リヤアンダカバーの組付け時に、仮預けによりその組付け性の向上を図ることができる車体後部下面構造の提供を目的とする。【解決手段】リヤアンダカバー５０はその後端部がリヤバンパフェース１４下端部に固定され、その前端部が荷室フロア下面部左右に両脚部６１が締結された逆円型形状の取付けステー６０における車幅方向メンバ６２に下方から固定され、上記リヤアンダカバー５０の前端部には、前方側に延出して上記車幅方向メンバ６２の上面に当接して仮預けされる仮預け部５４が形成されたことを特徴とする。【選択図】図６
2019166987.tif 000002
【特許請求の範囲】
【請求項１】
車体荷室のフロア下部に懸下されたサイレンサと、
上記サイレンサの後端底部より高い位置に配置されたリヤバンパフェースと、
上記サイレンサの後端底部と上記リヤバンパフェース下端部との間を下方から覆うリヤアンダカバーと、を備えた車体後部下面構造であって、
上記リヤアンダカバーはその後端部が上記リヤバンパフェース下端部に固定され、
その前端部が荷室フロア下面部左右に両脚部が締結された逆円型形状の取付けステーにおける車幅方向メンバに下方から固定され、
上記リヤアンダカバーの前端部には、前方側に延出して上記車幅方向メンバの上面に当接して仮預けされる仮預け部が形成されたことを特徴とする
車体後部下面構造。
【請求項２】
車両底面視で上記取付けステーの車幅方向メンバ下面が前後方向に凹凸する凹凸形状に形成されており、
上記リヤアンダカバーの前片部は、上記凹凸形状に合致する凹凸形状部を備えたことを特徴とする
請求項１に記載の車体後部下面構造。
【発明の詳細な説明】
【技術分野】
【０００１】
この発明は、車体後部下面構造に関し、詳しくは、車体荷室のフロア下部に懸下されたサイレンサと、上記サイレンサの後端底部より高い位置に配置されたリヤバンパフェースと、上記サイレンサの後端底部と上記リヤバンパフェース下端部との間を下方から覆うリヤアンダカバーと、を備えた車体後部下面構造に関する。
【背景技術】
【０００２】
従来、床下走行風の整流を図る目的で、車体荷室のフロア下部に懸下されたサイレンサと、該サイレンサの後端底部よりも高位置に配置されたリヤバンパフェース下端部との間を、リヤアンダカバーで下方から覆うように成した車体後部下面構造が知られている。
【０００３】
この場合、リヤアンダカバーを、車両前後方向に前低後高状となる後ろ上がりに１０度前後の傾斜状に形成すると、フロア下の床下走行風の流れを車体後端部に向けて上方へ流し、車体後流の乱れを少なくするという空力グランドラインによる効果が得られることも知られている。
【０００４】
ここで、上述のリヤアンダカバーは、サイレンサ底面部に対して、その上下方向の高さ関係を維持し、かつ、車両走行中に振動しないように寸法精度よく位置決めし、強固に支持することが床下走行風の乱れを抑制する観点から望まれている。
【０００５】
ところで、特許文献１には、トーションビーム式リヤサスペンションと、後部車体下面に設けられた整流用のリヤアンダカバーとを備えた構造が開示されている。  
しかしながら、該特許文献１には、リヤアンダカバーの具体的な位置決め構造および支持構造については、開示されていない。
【先行技術文献】
【特許文献】
【０００６】
【特許文献１】特開２０１７−３９３５４号公報
【発明の概要】
【発明が解決しようとする課題】
【０００７】
そこで、この発明は、リヤアンダカバーの上下方向の高精度を確保することができると共に、当該リヤアンダカバーの充分な支持剛性を確保することができ、さらには、リヤアンダカバーの組付け時に、仮預けによりその組付け性の向上を図ることができる車体後部下面構造の提供を目的とする。
【課題を解決するための手段】
【０００８】
この発明による車体後部下面構造は、車体荷室のフロア下部に懸下されたサイレンサと、上記サイレンサの後端底部より高い位置に配置されたリヤバンパフェースと、上記サイレンサの後端底部と上記リヤバンパフェース下端部との間を下方から覆うリヤアンダカバーと、を備えた車体後部下面構造であって、上記リヤアンダカバーはその後端部が上記リヤバンパフェース下端部に固定され、その前端部が荷室フロア下面部左右に両脚部が締結された逆円型形状の取付けステーにおける車幅方向メンバに下方から固定され、上記リヤアンダカバーの前端部には、前方側に延出して上記車幅方向メンバの上面に当接して仮預けされる仮預け部が形成されたものである。
【０００９】
上記構成によれば、リヤアンダカバーの後端部をリヤバンパフェース下端部に固定し、リヤアンダカバーの前端部を剛性部材である取付けステーの車幅方向メンバに固定するので、当該リヤアンダカバーの上下方向の取付け高さを高精度に確保することができると共に、その充分な支持剛性を確保することができる。
【００１０】
また、リヤアンダカバーの組付け時には、上記仮預け部を取付けステーにおける車幅方向メンバの上面に当接して仮預けするので、その組付け性の向上を図ることができる。
【００１１】
この発明の一実施態様においては、車両底面視で上記取付けステーの車幅方向メンバ下面が前後方向に凹凸する凹凸形状に形成されており、上記リヤアンダカバーの前片部は、上記凹凸形状に合致する凹凸形状部を備えたものである。
【００１２】
上記構成によれば、リヤアンダカバー前片部の凹凸形状部が、取付けステーにおける車幅方向メンバの凹凸形状に合致して、面一合わせが達成できると共に、当該凹凸形状部によりリヤアンダカバーの剛性向上を図ることができる。
【発明の効果】
【００１３】
この発明によれば、リヤアンダカバーの上下方向の高精度を確保することができると共に、当該リヤアンダカバーの充分な支持剛性を確保することができ、さらには、リヤアンダカバーの組付け時に、仮預けによりその組付け性の向上を図ることができる効果がある。
【図面の簡単な説明】
【００１４】
【図１】本発明の車体後部下面構造を備えた車両の側面図
【図２】図１の要部拡大底面図
【図３】車体後部下面構造を下方から見た状態で示す斜視図
【図４】図２のＡ−Ａ線矢視断面図
【図５】図２のＢ−Ｂ線に沿う要部の矢視断面図
【図６】図２のＣ−Ｃ線に沿う要部の矢視断面図
【図７】取付けステーを斜め上方から見た状態で示す斜視図
【図８】取付けステーを斜め下方から見た状態で示す斜視図
【図９】リヤアンダカバーを斜め上方から見た状態で示す斜視図
【図１０】リヤアンダカバーを斜め下方から見た状態で示す斜視図
【図１１】図６の要部拡大図
【発明を実施するための形態】
【００１５】
リヤアンダカバーの上下方向の高精度を確保することができると共に、当該リヤアンダカバーの充分な支持剛性を確保することができ、さらには、リヤアンダカバーの組付け時に、仮預けによりその組付け性の向上を図るという目的を、車体荷室のフロア下部に懸下されたサイレンサと、上記サイレンサの後端底部より高い位置に配置されたリヤバンパフェースと、上記サイレンサの後端底部と上記リヤバンパフェース下端部との間を下方から覆うリヤアンダカバーと、を備えた車体後部下面構造において、上記リヤアンダカバーはその後端部が上記リヤバンパフェース下端部に固定され、その前端部が荷室フロア下面部左右に両脚部が締結された逆円型形状の取付けステーにおける車幅方向メンバに下方から固定され、上記リヤアンダカバーの前端部には、前方側に延出して上記車幅方向メンバの上面に当接して仮預けされる仮預け部が形成されるという構成にて実現した。
【実施例】
【００１６】
この発明の一実施例を以下図面に基づいて詳述する。  
図面は車体後部下面構造を示し、図１は当該車体後部下面構造を備えた車両の側面図、図２は図１の要部拡大底面図、図３は車体後部下面構造を下方から見た状態で示す斜視図、図４は図２のＡ−Ａ線矢視断面図である。
【００１７】
図１に示すように、車体側部において、車両前部のフロントドア開口１を開閉可能に閉塞するサイドドアとしてのフロントドア２と、車両後部のリヤドア開口３を開閉可能に閉塞するサイドドアとしてのリヤドア４とを設けている。  
上述のフロントドア２はドアアウタハンドル５を備えており、同様に、上述のリヤドア４もドアアウタハンドル６を備えている。
【００１８】
図１に示すように、上述のフロントドア２の前部には、エンジンルームの側方を覆うフロントフェンダパネル７が設けられており、前輪８の位置と対応してフロントフェンダパネル７の下部には前輪ホイールハウス９が一体的に設けられている。
【００１９】
図１に示すように、上述のリヤドア４の後部には、荷室側方を覆うリヤフェンダパネル１０が設けられており、後輪１１の位置と対応してリヤフェンダパネル１０の下部には後輪ホイールハウス１２が一体的に設けられている。  
なお、図１において、１３はドアミラー、１４は車両後部から左右の車両側部に回り込むように形成されたリヤバンパフェースである。
【００２０】
図２に示すように、前輪ホイールハウス９の後縁下端部と後輪ホイールハウス１２の前縁下端部との間において、車室下部を車両前後方向に延びるサイドシル１５が設けられている。  
このサイドシル１５は、サイドシルアウタとサイドシルインナ１５Ａとを接合固定して、車両前後方向に延びるサイドシル閉断面を備えた車体強度部材である。
【００２１】
図２に示すように、左右一対のサイドシル１５，１５には、当該サイドシル１５を前後のホイールハウス９，１２間にわたって覆うように設けられたガーニッシュ１６，１６が取付けられている。
【００２２】
後輪ホイールハウス１２の前縁下端部と対向するように、上述のガーニッシュ１６の後端部には、タイヤデフレクタ１７を設け、車体側部を流れる側面流が後輪ホイールハウス１２内に入り込まないよう一旦、車外側に指向させた後に、タイヤホイール外面に再付着するように偏向すべく構成している。
【００２３】
図４に示すように、車室および荷室の底面を形成するフロアパネル１８は、フロントフロアパネルと、リヤシートパンと、リヤフロアパネルとを、車両前後方向に連続形成したものである。
【００２４】
図２に示すように、上述のフロントフロアパネルからリヤシートパンの前後方向中間部まで車両前後方向に延びる上述のサイドシル１５がフロアパネル１８の車幅方向サイド部に接合固定されている。
【００２５】
図２、図４に示すように、上述のリヤシートパンの前後方向中間部からリヤフロアパネル後端まで車両前後方向に延びるリヤサイドフレーム１９を設けている。図４に示すように、このリヤサイドフレーム１９は、リヤサイドフレームアッパ２０と、リヤサイドフレームロア２１とを備えており、これらリヤサイドフレームアッパ２０と、リヤサイドフレームロア２１との間には、車両前後方向に延びるリヤサイドフレーム閉断面Ｓ１が形成されている。
【００２６】
図２に示すように、後輪１１，１１の中心部よりも後方対応位置において、左右一対のリヤサイドフレーム１９，１９間には、車幅方向に延びるリヤクロスメンバ２２を横架し、このリヤクロスメンバ２２で左右一対のリヤサイドフレームロア２１，２１間を車幅方向に連結している。
【００２７】
一方、図２に示すように、フロア下部のトンネル部には、エンジンの排気ポートおよび排気マニホルドから排出された排気ガスを車両後方に導く排気管３０を設けている。この排気管３０には触媒コンバータ３１を介設すると共に、リヤクロスメンバ２２後部位置まで延びる排気管３０の後端部には、消音器としてのサイレンサ３２を連通連結しており、このサイレンサ３２の左右両側には、一旦、車幅方向外側に延びた後に、車両後方に延びる底面視Ｌ字形状のテールパイプ３３，３３を取付けている。  
そして、上述のサイレンサ３２の前部車幅方向外側と、テールパイプ３３のコーナ部との間を、整流用のカバー３４で、その下方から覆っている。
【００２８】
図２に示すように、トンネル部を除いて車体下面を覆う整流用のフロアアンダカバー３５，３６を設けている。これら左右一対の各フロアアンダカバー３５，３６はその底面に平坦な整流面を備えている。
【００２９】
また、これらのフロアアンダカバー３５，３６は、前側のフロアアンダカバー３５と後側のフロアアンダカバー３６とを車両前後方向に連続するように形成したものである。
【００３０】
図２に示すように、左右一対の後輪１１，１１を懸架するトーションビーム式リヤサスペンション４０を設けている。  
このリヤサスペンション４０は、左右一対のトレーリングアームと、これらの各トレーリングアームを車幅方向に延びて連結するトーションビーム４１（ねじり棒ばね）と、を備えている。そして、図２に示すように、トレーリングアームの下部には、整流用のアームカバー４２が設けられている。
【００３１】
図５は図２のＢ−Ｂ線に沿う要部の矢視断面図、図６は図２のＣ−Ｃ線に沿う要部の矢視断面図、図７は取付けステーを斜め上方から見た状態で示す斜視図、図８は取付けステーを斜め下方から見た状態で示す斜視図、図９はリヤアンダカバーを斜め上方から見た状態で示す斜視図、図１０はリヤアンダカバーを斜め下方から見た状態で示す斜視図、図１１は図６の要部拡大図である。
【００３２】
図５、図６に示すように、上述のサイレンサ３２の車幅方向両側上部にはハンガブラケット４３，４３（但し、図５では車両左側のハンガブラケット４３のみを示す）が固定されており、図５に示すように、上述のサイレンサ３２は車体後部の荷室のフロア下部において車体としてのリヤサイドフレームロア２１に、上下の棒状のハンガ部材４４，４５と、これに係合するラバー部材４６とを介して懸下されたものである。
【００３３】
図５に示すように、上側のハンガ部材４４はリヤサイドフレームロア２１に固定されており、下側のハンガ部材４５はハンガブラケット４３に固定されており、上述のラバー部材４６は上側のハンガ部材４４における下部折曲げ片と、下側のハンガ部材４５における上部折曲げ片とにそれぞれ係合するものである。
【００３４】
また、図５、図６に示すように、サイレンサ３２とフロアパネル１８、詳しくは、荷室凹部１８Ａとの間には、熱害防止用のインシュレータ４７が配設されている。  
さらに、図５、図６に示すように、上述のサイレンサ３２の底面は略平坦な整流面を形成するように形成されている。
【００３５】
一方で、図５、図６に示すように、フロアパネル１８の後端部には、リヤエンドパネル２３が設けられており、このリヤエンドパネル２３の後面部には、棒状のハンガ部材２４を用いて、バンパリテーナ２５が支持されている。
【００３６】
図６に示すように、上述のリヤバンパフェース１４の下端部１４ａは、上述のサイレンサ３２の後端底部よりも高い位置に配置されており、同図に示すように、サイレンサ３２の後端底部とリヤバンパフェース１４の下端部１４ａとの間を下方から覆うリヤアンダカバー５０を備えている。
【００３７】
図３に示すように、上述のリヤアンダカバー５０は、ボルト、ナットやクリップ等の取付け部材５１を用いて、その後端部がバンパリテーナ２５に固定されており、このバンパリテーナ２５を介してリヤアンダカバー５０後端部がリヤバンパフェース１４の下端部１４ａに固定されている。
【００３８】
図４に示すように、左右一対のリヤサイドフレーム１９，１９におけるリヤサイドフレームロア２１，２１間には、逆円型形状の取付けステー６０が設けられている。この取付けステー６０は剛性を高めるために金属にて形成されている。
【００３９】
同図に示すように、該取付けステー６０はその車幅方向端部において上下方向に延びる左右一対の脚部６１，６１と、これら左右一対の脚部６１，６１における下部相互間を車幅方向に延びて連結する車幅方向メンバ６２と、を備えており、図３に示すように、上述のリヤアンダカバー５０の前端部は、ボルト、ナットやクリップ等の取付け部材５２を用いて、取付けステー６０における車幅方向メンバ６２に下方から固定されている。
【００４０】
図４に示すように、取付けステー６０における脚部６１の上端には、当該上端から車幅方向外側に延びる取付け片６３が一体形成されており、この取付け片６３が、ボルト、ナット等の取付け部材６４を用いて、荷室フロア下面部左右としての左右のリヤサイドフレームロア２１の底部に締結固定されている。
【００４１】
図７、図８に取付けステー６０を斜視図にて示すように、この実施例では、上述の取付け部材６４と併せて、取付けステー６０を、クリップ６５を用いてリヤサイドフレームロア２１底部に係合固定するよう構成している。
【００４２】
図７、図８に示すように、取付けステー６０の車幅方向メンバ６２は、主面部６２ａと、この主面部６２ａの前端から上方に立ち上がる立設片６２ｂと、主面部６２ａの前端から下方に延びる縦壁６２ｃと、主面部６２の後端から上方に立ち上がるリブ６２ｄと、を備えている。
【００４３】
図８に示すように、車両底面視で取付けステー６０の車幅方向メンバ６２下面は、前後方向に凹凸する凹凸形状に形成されている。この実施例では、同図に示すように、車幅方向メンバ６２の車幅方向中央部において、上記縦壁６２ｃから主面部６２ａ下面に沿って後方に延びる凸部６６を一体形成している。
【００４４】
図７、図８に示すように、上述の主面部６２ａには車幅方向に離間して複数箇所に開口部６２ｅを形成しており、これらの各開口部６２ｅの口縁には、筒状ナットとクリップとを一体形成したアタッチメントとしてのナット部材６７を取付けて、このナット部材６７が前述の取付け部材５２（図３参照）の一部を構成するように成している。
【００４５】
図７に示すように、上述の凸部６６と対応して、車幅方向メンバ６２の主面部６２ａには、後述する仮預け部５４（図９、図１０、図１１参照）を受けるリブ構造の受け部６８が一体形成されている。
【００４６】
図３、図９、図１０に示すように、上述のリヤアンダカバー５０はポリプロピレン等の合成樹脂により形成されており、該リヤアンダカバー５０の前片部５０ａは、取付けステー６０の凸部６６と合致する凹凸形状部として車両後方側に窪む凹部５３を備えている。
【００４７】
この凹部５３は取付けステー６０の凸部６６と対応して、リヤアンダカバー５０の前片部５０ａにおける車幅方向中央部に形成されたもので、これら凸部６６と凹部５３との両者により、面一合わせを達成すると共に、リヤアンダカバー５０それ自体の剛性向上を図るよう構成したものである。
【００４８】
図９、図１０、図１１に示すように、上述の凹部５３には、上方に延びる縦壁５０ｂと、この縦壁５０ｂの上端から前方に延びる水平部５０ｃと、水平部５０ｃの前端から前上に延びるスラント部５０ｄと、から成る仮預け部５４が形成されている。
【００４９】
図１１に示すように、この仮預け部５４は、リヤアンダカバー５０の前端部に形成されたもので、当該仮預け部５４は、前方側に延出して車幅方向メンバ６２の上面、詳しくは、受け部６８およびリブ６２ｄの上面に仮預けされるものである。
【００５０】
これにより、リヤアンダカバー５０の組付け時に、仮預け部５４を取付けステー６０における車幅方向メンバ６２の上面に当接して仮預けを行ない、当該リヤアンダカバー５０の組付け性向上を図るよう構成したものである。
【００５１】
図９〜図１１に示すように、上述のリヤアンダカバー５０は、前後方向において前半の略水平の平板領域であって、サイレンサ３２底部を通過した空気流が再付着する前側水平部５５と、この前側水平部５５の後端部で折曲されてリヤバンパフェース１４の下端部１４ａに向けて緩やかに上昇する平板領域である後側緩傾斜部５６と、を備えている。
【００５２】
ここで、上述の後側緩傾斜部５６は、図１１に示すように、地面と平行な線である仮想水平線ＨＯＲに対して、空力グランドラインＧＬを形成すべく後ろ上がりに１０度前後、好ましくは、１３度の傾斜角を有するように形成されている。
【００５３】
これにより、ラバー部材４６（図５参照）を介して懸下されたサイレンサ３２の底面高さにばらつきがあっても、サイレンサ３２底部を通過した床下走行風を略水平の平板領域である前側水平部５５に安定的に再付着させて、その後、リヤバンパフェース１４の下端部１４ａに向けて緩やかに上昇する平板領域である後側緩傾斜部５６にて空力グランドラインＧＬによる効果を達成すべく構成したものである。
【００５４】
これに対して、図１１に仮想線βで示すように、後側緩傾斜部５６から車両前方に延長させた前側非水平部を有する比較例においては、サイレンサの懸下構造および該サイレンサの製造公差により、当該サイレンサ底面高さのばらつきに起因して、リヤアンダカバー前端の上下位置とサイレンサ底面高さとの間に誤差が生じ、特に、リヤアンダカバー前端がサイレンサ底面より低位置になると、サイレンサ底面通過後の流れが剥がれて、リヤアンダカバーに再付着しなくなるものである。
【００５５】
また、図２、図３、図９、図１０に示すように、車両底面視で上述の後側緩傾斜部５６、並びに、該後側緩傾斜部５６と前側水平部５５との境界部５７が、上述のリヤバンパフェース１４の下端前部の形状に沿う円弧形状に形成されている。  
これにより、空力グランドラインＧＬを維持しつつ、再付着領域（前側水平部５５の面積）を車幅方向に拡大すべく構成したものである。
【００５６】
さらに、図９、図１１に示すように、上述のリヤアンダカバー５０における仮預け部５４の上面には、車両前後方向に延びる複数条のリブ５８が一体形成されており、該リブ５８にて、当該仮預け部５４の剛性向上を図るように構成している。
【００５７】
さらにまた、図９、図１０に示すように、リヤアンダカバー５０の後側緩傾斜部５６における車幅方向中間部には、ジャッキアップ用の開口部５９が開口形成されている。
【００５８】
加えて、図９、図１０に示すように、リヤアンダカバー５０の前側水平部５５の前端には、当該前端から上方に延びた後に前方に延びる逆Ｌ字状のフランジ部５０ｅが一体形成されており、図３で示した取付け部材５２の配設位置と対応して、該フランジ部５０ｅの車幅方向複数箇所には、当該フランジ部５０ｅを後方に拡大したフランジ拡大部５０ｆが一体形成されており、このフランジ拡大部５０ｆを、車幅方向メンバ６２に対する取付け部に設定し、取付け部材５２としてボルト、ナットを用いた場合、ボルト頭部が前側水平部５５の下面よりも下方へ突出しないよう構成している。
【００５９】
また、図９〜図１１に示すように、リヤアンダカバー５０の後側緩傾斜部５６の後端には、当該後端から上方に延びた後に後方に延びる逆Ｌ字状のフランジ部５０gが一体形成されており、図３で示した取付け部材５１の配設位置と対応して、該フランジ部５０gの車幅方向複数箇所には、当該取付け部材５１の取付け部５０ｈが形成されており、取付け部材５１としてボルト、ナットを用いた場合、ボルト頭部が後側緩傾斜部５６の下面よりも下方へ突出しないよう構成している。  
なお、図２において、７０は燃料タンクである。また、図中、矢印Ｆは車両前方を示し、矢印Ｒは車両後方を示し、矢印ＵＰは車両上方を示す。
【００６０】
このように、上記実施例の車体後部下面構造は、車体荷室のフロア下部に懸下されたサイレンサ３２と、上記サイレンサ３２の後端底部より高い位置に配置されたリヤバンパフェース１４と、上記サイレンサ３２の後端底部と上記リヤバンパフェース１４下端部１４ａとの間を下方から覆うリヤアンダカバー５０と、を備えた車体後部下面構造であって、上記リヤアンダカバー５０はその後端部が上記リヤバンパフェース１４下端部１４ａに固定され、その前端部が荷室フロア下面部（リヤサイドフレームロア２１参照）左右に両脚部６１，６１が締結された逆円型形状の取付けステー６０における車幅方向メンバ６２に下方から固定され、上記リヤアンダカバー５０の前端部には、前方側に延出して上記車幅方向メンバ６２の上面に当接して仮預けされる仮預け部５４が形成されたものである（図４、図６参照）。
【００６１】
この構成によれば、リヤアンダカバー５０の後端部をリヤバンパフェース１４下端部１４ａに固定し、リヤアンダカバー５０の前端部を剛性部材である取付けステー６０の車幅方向メンバ６２に固定するので、当該リヤアンダカバー５０の上下方向の取付け高さを高精度に確保することができると共に、その充分な支持剛性を確保することができる。
【００６２】
また、リヤアンダカバー５０の組付け時には、上記仮預け部５４を取付けステー６０における車幅方向メンバ６２の上面に当接して仮預けするので、その組付け性の向上を図ることができる。
【００６３】
また、この発明の一実施形態においては、車両底面視で上記取付けステー６０の車幅方向メンバ６２下面が前後方向に凹凸する凹凸形状（凸部６６参照）に形成されており、上記リヤアンダカバー５０の前片部５０ａは、上記凹凸形状（凸部６６参照）に合致する凹凸形状部（凹部５３参照）を備えたものである（図３、図８、図１０参照）。
【００６４】
この構成によれば、リヤアンダカバー５０前片部５０ａの凹凸形状部（凹部５３参照）が、取付けステー６０における車幅方向メンバ６２の凹凸形状（凸部６６参照）に合致して、面一合わせが達成できると共に、当該凹凸形状部（凹部５３参照）によりリヤアンダカバー５０それ自体の剛性向上を図ることができる。
【００６５】
この発明の構成と、上述の実施例との対応において、
この発明の荷室フロア下面部は、実施例のリヤサイドフレームロア２１、特にその下面に対応し、
以下同様に、
取付けステーの凹凸形状は、凸部６６に対応し、
リヤアンダカバーの凹凸形状部は、凹部５３に対応するも、
この発明は、上述の実施例の構成のみに限定されるものではない。
【００６６】
例えば、上記実施例においては、取付けステー６０に凸部６６を形成し、リヤアンダカバー５０に凹部５３を形成したが、この凹凸構造は上記実施例の逆の構成、すなわち、取付けステー６０に凹部を形成し、リヤアンダカバー５０に凸部を形成する構造を採用してもよい。
【産業上の利用可能性】
【００６７】
以上説明したように、本発明は、車体荷室のフロア下部に懸下されたサイレンサと、上記サイレンサの後端底部より高い位置に配置されたリヤバンパフェースと、上記サイレンサの後端底部と上記リヤバンパフェース下端部との間を下方から覆うリヤアンダカバーと、を備えた車体後部下面構造について有用である。
【符号の説明】
【００６８】
１４…リヤバンパフェース
２１…リヤサイドフレームロア（荷室フロア下面部）
３２…サイレンサ
５０…リヤアンダカバー
５３…凹部（凹凸形状部）
５４…仮預け部
６０…取付けステー
６１…脚部
６２…車幅方向メンバ
６６…凸部（凹凸形状）
【図１】
2019166987.tif 000003
【図２】
2019166987.tif 000004
【図３】
2019166987.tif 000005
【図４】
2019166987.tif 000006
【図５】
2019166987.tif 000007
【図６】
2019166987.tif 000008
【図７】
2019166987.tif 000009
【図８】
2019166987.tif 000010
【図９】
2019166987.tif 000011
【図１０】
2019166987.tif 000012
【図１１】
2019166987.tif 000013